(57)【要約】【課題】一定量の塗液を連続して塗布することが可能で、かつ塗布する面にストレスを与えることなく塗布可能な液体塗布具を提供すること。【解決手段】横断面において、外郭部より内方に向かって複数の突起部を有し、前記突起部と外郭部の間に塗液通路を形成した合成樹脂製液体塗布具において、塗布部に植毛したことを特徴とする合成樹脂製液体塗布具。【選択図】図１
2010148758.tif 000002
【特許請求の範囲】
【請求項１】
横断面において、外郭部より内方に向かって複数の突起部を有し、前記突起部と外郭部の間に塗液通路を形成した合成樹脂製液体塗布具において、塗布部に植毛したことを特徴とする合成樹脂製液体塗布具。
【発明の詳細な説明】
【技術分野】
【０００１】
本発明は、化粧用、筆記具用及び薬剤塗布用として有用な液体塗布具に関する。
【背景技術】
【０００２】
液体塗布具には、ペン型容器の塗液充填部内に充填された塗液を、押出機構により連通路を通して塗布部外表面へ押し出して塗布する押出式（例えば、特許文献１）がある。
しかしながら、それら押出式の液体塗布具は、リップグロス等の高粘度液を塗液充填部内や連通路内に保持することは可能であるが、スキンケア液等の低粘度液を塗液充填部内や連通路内に保持することは困難である。
また、塗布部外表面へ押し出す塗液の量を調節することが難しく、必要以上に塗液を押し出してしまい供給過多となり適量塗布が困難であったり、反対に少ない場合には何度も押し出す必要があった。
【０００３】
一方、押出式の液体塗布具に対し、ボディー内部の中綿等に充填された塗液を毛細管力で吸い上げ、一定量塗布することが可能な合成繊維製の塗布具（例えば、特許文献２）がある。
しかしながら、前記合成繊維製の液体塗布具は、繊維同士が複雑に絡み合った状態で塗液の通路を形成していることから、塗液にラメやパール等の成分が含まれる場合に、それらが塗液の通路内で引っかかり通過しづらいといった問題がある。
【０００４】
また、前記問題に対し、横断面において、外郭部より内方に向かって複数の突起部を有し、前記突起部と外郭部の間に塗液通路を形成した合成樹脂製液体塗布具（例えば、特許文献３）がある。
前記合成樹脂製液体塗布具は、塗液の流路が軸線方向に沿って真っ直ぐに形成されていることから、塗液にラメやパール等の成分が含まれていても、それらを通過させることは容易である。
しかしながら、塗布部表面が硬く、肌等のデリケートな部分へ塗布する場合に痛みを感じさせてしまったり、傷つけてしまう場合があった。
【特許文献１】特開平１０−１９２０４５号公報
【特許文献２】特開２００６−１９８０４７号公報
【特許文献３】特開２００３−２５７８３号公報
【発明の開示】
【発明が解決しようとする課題】
【０００５】
本発明は、一定量の塗液を連続して塗布することが可能で、かつ塗布する面に過度のストレスを与えることなく塗布可能な液体塗布具を提供することを目的とする。
【課題を解決するための手段】
【０００６】
本発明は、横断面において、外郭部より内方に向かって複数の突起部を有し、前記突起部と外郭部の間に塗液通路を形成した合成樹脂製液体塗布具において、塗布部に植毛したことを特徴とする合成樹脂製液体塗布具に関する。
【発明の効果】
【０００７】
本発明によれば、塗液充填部より毛細管力により吸い上げた塗液を連続して一定量塗布することが可能で、かつ塗布する面に過度のストレスを与えることなく塗布することが可能な液体塗布具を提供することができる。
【０００８】
また、植毛した塗布部のパイルが塗布する面の細かい部分に入り込むため、塗布する面が平面である場合だけでなく凹凸のある面である場合にも塗液を塗布することが可能な液体塗布具をも提供することができる。
【０００９】
また、植毛した塗布部のパイルが髪の毛やまつ毛や眉毛等の繊維に絡むため、塗布するものが繊維状である場合にも効率的に塗液を塗布することが可能な液体塗布具をも提供することができる。
【００１０】
加えて、塗布圧を調整することで、塗布する面への塗液の付着量を調整することが可能となり、特に塗布圧を抑えた場合に眉毛など毛並みを表現することが可能な液体塗布具をも提供することができる。
【００１１】
また、植毛した塗布部が多くの塗液を保持するため、キャップを外した際に塗布部が乾いてしまうドライアップ現象が発生しづらく、塗布する面に多くの塗液を供給することが可能な液体塗布具をも提供することができる。
【発明を実施するための最良の形態】
【００１２】
本発明について、以下具体的に説明する。
【００１３】
本発明における液体塗布具の材質である合成樹脂には、例えば、ポリエチレン、ポリプロピレン、アクリル樹脂、ポリエチレンテレフタレート、ポリアミド、ポリアセタール、ポリブチレンテレフタレート、ポリエーテルエーテルケトン、ポリフッ化ビニリデン、ポリエーテルサルフォン及びこれらにフィラー等の充填材や添加剤を配合したものが挙げられる。
【００１４】
また、塗布部全体に弾性を有するものとして、ポリウレタンエラストマー、ポリエステルエラストマー、ポリアミドエラストマー等が挙げられる。
【００１５】
本発明における液体塗布具は、これらの熱可塑性樹脂を溶融押出成形により所要の断面形状・寸法に成形し、その後、指定の長さにカットし、先端、後端を研磨して液体塗布具を得る製造方法、その他の公知の製造方法により得られたものである。
なお、植毛部を除く液体塗布具の外径寸法は、丸棒状の場合０．２〜５ｍｍφまで可能であるが、溶融押出成形のしやすさと使用時に強度不足を発生させない点において、０．３８〜３．５ｍｍφが好ましい。
【００１６】
本発明における塗布部表面の植毛とは、例えば、高圧静電界における静電吸引力を利用しあらかじめ接着剤を塗布した塗布部表面にパイルを植え付けたもので、その後接着剤層を乾燥・加熱・硬化させることにより植え付けたパイルを固定する加工方法である静電植毛、その他の公知の植毛方法により得られたものである。
【００１７】
塗布部表面に植毛するパイルは、例えば、綿、絹、羊毛、麻類等の天然繊維、ポリエステル、ナイロン、ビニロン、ポリアセタール、ポリウレタン、アクリル、アラミド等の合成繊維、アセテート等の半合成繊維、レーヨン、キュプラ、ポリノジック等の再生繊維、ポリエチレン、ポリプロピレン、ポリスチレン、ポリ塩化ビニルなどの繊維径が０．５５〜６６デシテックス、繊維長が０．３〜５ｍｍのものが挙げられる。
【００１８】
また、塗布部表面への植毛に使用する接着剤は、例えば、アクリル酸エステル樹脂系エマルジョン接着剤、アクリル酸エステル−酢酸ビニル共重合体系エマルジョン接着剤、ポリ酢酸ビニル系エマルジョン接着剤、ポリウレタン樹脂エマルジョン接着剤、ポリエステル系エマルジョン接着剤、エポキシ樹脂系エマルジョン系接着剤、エチレン−酢酸ビニル共重合体（ＥＶＡ）系接着剤、スチレンブタジエンゴム（ＳＢＲ）ラテックス系接着剤、ニトリルゴム（ＮＢＲ）ラテックス系接着剤、ポリウレタン樹脂溶剤系接着剤、エポキシ樹脂系溶剤系接着剤が挙げられる。
【実施例】
【００１９】
本発明の実施の態様を実施例に基づいて説明する。
【００２０】
図１には、本発明の液体塗布具における実施の一形態を例示しており、ポリアセタール樹脂からなるペレットを、成形しようとする横断面形状と相似形状の整形開口部を有する成形ダイスから溶融押出して、軸線方向に液体誘導通路を有する１ｍｍφの棒状成形品を得た。その後、指定の長さにカットし、先端、後端を研磨して砲弾形状の液体塗布具を得た。その後、前記合成樹脂製液体塗布具の塗布部表面に静電植毛するための接着剤であるアクリル樹脂を塗布し、０．９デシテックス、長さ０．４ｍｍのナイロンのパイルを静電植毛して液体塗布具を得た。
【００２１】
図２には、本発明の液体塗布具における横断面形状の一形態を例示している。
【００２２】
図３には、本発明の液体塗布具における使用時の一形態を例示しており、本発明の液体塗布具を、内部に中綿等の塗液充填部を有するボディーにホルダーを使用して組み付けたものである。
【００２３】
図４には、本発明の液体塗布具における他の実施の一形態を例示しており、前記方法により得られた丸棒状成形品の先端部をチゼル形状に、後端部をリング状の溝を有する段付形状に研磨し、その後、塗布部表面に植毛して得られたものである。
【００２４】
図５には、本発明の液体塗布具における他の実施の一形態を例示しており、前記方法により得られた丸棒状成形品の先端部と後端部を略円錐形状に研磨し、その後、丸棒状成形品の外周部を研磨してシャンク部を設け、塗布部表面に植毛し得たものである。
【００２５】
以上、本発明の実施例について説明したが、本発明はこれらの実施形態に何等限定されるものではない。
【００２６】
例えば、本発明における液体誘導通路は塗液を軸線方向に誘導可能な毛細管力を有する適宜の横断面形状のもので、その断面形状は公知のものを含めて自由であり、何等限定されない。
【００２７】
また、本発明における液体塗布具の材質である熱可塑性樹脂に、親水性が有り非イオン活性剤として利用されているポリエチレングリコールを混合、分散させた組成物でもよい。
【００２８】
また、塗布具は、丸棒状、角棒状、その他の適宜形状のものでよく、塗布具の塗布面部は、筆形状、ネイル形状、チゼル形状等の公知の形状の何れであってもよい。
【００２９】
また、図５のように、液体塗布具を組み付けるホルダーに合わせシャンク部を有する段付形状に加工しても良いし、図４のように塗布具の外周部やシャンク部等へ液体の供給や位置決めに有効なリング状の溝を設けても良いし、図示していないが、空気置換等に有効な縦溝を設けても良い。
【００３０】
また、塗布具外周部をポリアセタール樹脂等で被覆しても良い。
【００３１】
また、塗布具の材質である合成樹脂や植毛するパイルや被覆部の色を塗液の色や使用用途に合わせていろいろな色に設定しても良い。
【００３２】
また、パイルを植毛する塗布部表面に、あらかじめプライマー処理をして接着力を高めてもよい。
【００３３】
また、パイルの形状は、ベンディングタイプ（屈曲型）、直線型、カール型等の公知の形状の何れであってもよい。
【００３４】
また、パイルを植毛する範囲を広くすることで、香水などの芳香剤や消臭剤などの塗液を塗布するだけでなく、放散させる機能を持たせてもよい。
【産業上の利用可能性】
【００３５】
本発明の液体塗布具は、例えば化粧用として有用であり、特にアイライナー、アイシャドウ、アイブロー、毛染めマーカー、チーク、リップライナー、リップグロス、コンシーラー、マニキュアリムーバー、ネイルケア、スキンケア、ホワイトニング、メイク落とし、歯の清掃、まつ毛ケア、香水ペンに適している。
【００３６】
また、例えば筆記具用としても有用であり、特に油性マーカー、ボードマーカー、ラインマーカー、ペイントマーカー、水性マーカー、医療用マーカー、プラモデル用マーカー等のマーキングペンに適している。
【００３７】
さらには、例えば薬剤塗布用としても有用であり、特に芳香剤、消臭剤、防虫剤、液状シップ剤、日焼け止め、サンオイル、にきび治療薬などの塗布に適している。
【図面の簡単な説明】
【００３８】
【図１】液体塗布具の一形態
【図２】液体塗布具の横断面形状の一形態
【図３】液体塗布具の使用時の一形態
【図４】液体塗布具の一形態
【図５】液体塗布具の一形態
【符号の説明】
【００３９】
１  液体塗布具
２  塗布部
３  外郭部
４  突起部
５  塗液通路
６  ホルダー
７  ボディー
８  リング状の溝
９  シャンク部
【図１】
2010148758.tif 000003
【図２】
2010148758.tif 000004
【図３】
2010148758.tif 000005
【図４】
2010148758.tif 000006
【図５】
2010148758.tif 000007